【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
対象物を滅菌する滅菌装置であって、
液体の滅菌剤を濃縮する濃縮室と、
前記濃縮室から前記液体の滅菌剤が投入され当該液体の滅菌剤を溜める滅菌剤溜まり部を有する直管部と、
前記滅菌剤溜まり部に投入された前記液体の滅菌剤を気化する気化室と、
前記気化室で気化された滅菌剤が投入される滅菌室と、
前記滅菌室を真空引きするための真空機器と、
前記滅菌室と前記直管部との導通の制御するために開け閉めする第１弁と、
前記気化室と前記滅菌剤溜まり部との導通の制御するために開け閉めする第２弁と、
前記気化室と前記滅菌室との間に設けられた第３弁と、
を備え、
前記滅菌装置が、前記濃縮室から前記液体の滅菌剤が投入され当該液体の滅菌剤が溜められている前記滅菌剤溜まり部を有する前記直管部に含まれる大気を、前記第１弁を開けて閉じることで、前記真空機器により減圧された前記滅菌室に吸い出し、前記第１弁を閉じた状態で、前記第２弁を開けることで、前記滅菌剤溜まり部に溜められた前記液体の滅菌剤を前記気化室に投入し、前記第３弁を開けることで、前記気化室で気化された滅菌剤を前記滅菌室に拡散させることを特徴とし、
前記滅菌装置が、前記第１弁を開けて閉じることで、前記直管部に含まれる大気を、前記真空機器により減圧された前記滅菌室に吸い出してから、前記第３弁を開けることで、前記気化室で気化された滅菌剤を前記滅菌室に拡散させるまでの間に、前記真空機器による前記滅菌室の真空引きを行うことを特徴とする滅菌装置。
【請求項２】
前記滅菌装置が、前記第１弁を開けて閉じることで、前記直管部に含まれる大気を、前記真空機器により減圧された前記滅菌室に吸い出し、前記第３弁を開けた状態で前記真空機器による前記滅菌室の真空引きを行い、当該真空引きされた前記滅菌室内の気圧が所定の気圧まで減圧されたかを判定し、前記滅菌室内の気圧が所定の気圧まで減圧されたと判定された場合に、前記第３弁を閉めて、前記第１弁を閉じた状態で、前記第２弁を開けることで、前記滅菌剤溜まり部に溜められた前記液体の滅菌剤を前記気化室に投入し、前記第３弁を開けることで、前記気化室で気化された滅菌剤を前記滅菌室に拡散させることを特徴とする請求項１に記載の滅菌装置。
【請求項３】
前記直管部は、前記直管部に前記液体の滅菌剤と共に投入される大気を含み、当該大気を前記滅菌室に吸い出すために設けられた枝管部を更に備え、
前記第１弁は、前記滅菌室と前記枝管部との導通の制御するために開け閉めする弁であることを特徴とする請求項１又は２に記載の滅菌装置。
【請求項４】
前記第２弁は、前記気化室と前記滅菌剤溜まり部とが導通する導管に設けられた弁であることを特徴とする請求項１乃至３の何れか１項に記載の滅菌装置。
【請求項５】
前記第３弁は、前記気化室と前記滅菌室とが導通する導管に設けられた弁であることを特徴とする請求項１乃至４の何れか１項に記載の滅菌装置。
【請求項６】
液体の滅菌剤を濃縮する濃縮室と、
前記濃縮室から前記液体の滅菌剤が投入され当該液体の滅菌剤を溜める滅菌剤溜まり部を有する直管部と、
前記滅菌剤溜まり部に投入された前記液体の滅菌剤を気化する気化室と、
前記気化室で気化された滅菌剤が投入される滅菌室と、
前記滅菌室を真空引きするための真空機器と、
前記滅菌室と前記直管部との導通の制御するために開け閉めする第１弁と、
前記気化室と前記滅菌剤溜まり部との導通の制御するために開け閉めする第２弁と、
前記気化室と前記滅菌室との間に設けられた第３弁と、を備える、対象物を滅菌する滅菌装置のおける滅菌方法であって、
前記滅菌装置が、前記濃縮室から前記液体の滅菌剤が投入され当該液体の滅菌剤が溜められている前記滅菌剤溜まり部を有する前記直管部に含まれる大気を、前記第１弁を開けて閉じることで、前記真空機器により減圧された前記滅菌室に吸い出し、前記第１弁を閉じた状態で、前記第２弁を開けることで、前記滅菌剤溜まり部に溜められた前記液体の滅菌剤を前記気化室に投入し、前記第３弁を開けることで、前記気化室で気化された滅菌剤を前記滅菌室に拡散させることを特徴とし、
前記滅菌装置が、前記第１弁を開けて閉じることで、前記直管部に含まれる大気を、前記真空機器により減圧された前記滅菌室に吸い出してから、前記第３弁を開けることで、前記気化室で気化された滅菌剤を前記滅菌室に拡散させるまでの間に、前記真空機器による前記滅菌室の真空引きを行うことを特徴とする滅菌方法。
【手続補正２】
【補正対象書類名】明細書
【補正対象項目名】０００１
【補正方法】変更
【補正の内容】
【０００１】
本発明は、滅菌装置、滅菌方法に関する。特に、滅菌室に空気が入らないようにするため滅菌装置と滅菌方法に関する。
【手続補正３】
【補正対象書類名】明細書
【補正対象項目名】０００６
【補正方法】変更
【補正の内容】
【０００６】
本発明は、対象物を滅菌する滅菌装置であって、液体の滅菌剤を濃縮する濃縮室と、前記濃縮室から前記液体の滅菌剤が投入され当該液体の滅菌剤を溜める滅菌剤溜まり部を有する直管部と、前記滅菌剤溜まり部に投入された前記液体の滅菌剤を気化する気化室と、前記気化室で気化された滅菌剤が投入される滅菌室と、前記滅菌室を真空引きするための真空機器と、前記滅菌室と前記直管部との導通の制御するために開け閉めする第１弁と、前記気化室と前記滅菌剤溜まり部との導通の制御するために開け閉めする第２弁と、前記気化室と前記滅菌室との間に設けられた第３弁と、を備え、前記滅菌装置が、前記濃縮室から前記液体の滅菌剤が投入され当該液体の滅菌剤が溜められている前記滅菌剤溜まり部を有する前記直管部に含まれる大気を、前記第１弁を開けて閉じることで、前記真空機器により減圧された前記滅菌室に吸い出し、前記第１弁を閉じた状態で、前記第２弁を開けることで、前記滅菌剤溜まり部に溜められた前記液体の滅菌剤を前記気化室に投入し、前記第３弁を開けることで、前記気化室で気化された滅菌剤を前記滅菌室に拡散させることを特徴とし、前記滅菌装置が、前記第１弁を開けて閉じることで、前記直管部に含まれる大気を、前記真空機器により減圧された前記滅菌室に吸い出してから、前記第３弁を開けることで、前記気化室で気化された滅菌剤を前記滅菌室に拡散させるまでの間に、前記真空機器による前記滅菌室の真空引きを行うことを特徴とする。
【手続補正４】
【補正対象書類名】明細書
【補正対象項目名】０００７
【補正方法】変更
【補正の内容】
【０００７】
また、本発明は、液体の滅菌剤を濃縮する濃縮室と、前記濃縮室から前記液体の滅菌剤が投入され当該液体の滅菌剤を溜める滅菌剤溜まり部を有する直管部と、前記滅菌剤溜まり部に投入された前記液体の滅菌剤を気化する気化室と、前記気化室で気化された滅菌剤が投入される滅菌室と、前記滅菌室を真空引きするための真空機器と、前記滅菌室と前記直管部との導通の制御するために開け閉めする第１弁と、前記気化室と前記滅菌剤溜まり部との導通の制御するために開け閉めする第２弁と、前記気化室と前記滅菌室との間に設けられた第３弁と、を備える、対象物を滅菌する滅菌装置のおける滅菌方法であって、前記滅菌装置が、前記濃縮室から前記液体の滅菌剤が投入され当該液体の滅菌剤が溜められている前記滅菌剤溜まり部を有する前記直管部に含まれる大気を、前記第１弁を開けて閉じることで、前記真空機器により減圧された前記滅菌室に吸い出し、前記第１弁を閉じた状態で、前記第２弁を開けることで、前記滅菌剤溜まり部に溜められた前記液体の滅菌剤を前記気化室に投入し、前記第３弁を開けることで、前記気化室で気化された滅菌剤を前記滅菌室に拡散させることを特徴とし、前記滅菌装置が、前記第１弁を開けて閉じることで、前記直管部に含まれる大気を、前記真空機器により減圧された前記滅菌室に吸い出してから、前記第３弁を開けることで、前記気化室で気化された滅菌剤を前記滅菌室に拡散させるまでの間に、前記真空機器による前記滅菌室の真空引きを行うことを特徴とする。
【手続補正５】
【補正対象書類名】明細書
【補正対象項目名】０１５１
【補正方法】変更
【補正の内容】
【０１５１】
ステップＳ７０６では、濃縮炉２０８は、図１０に示すように、濃縮炉２０８の下部にヒータが設けられており、このヒータの熱により、滅菌剤が加熱される。滅菌剤が過酸化水素水溶液の場合、このヒータの熱により、水が気化される。そして、気化した水は、気送加圧ポンプ２０９から導管を通して送り込まれる空気により、排気用ＨＥＰＡフィルタ２２１に導通している導管に押し出され、濃縮炉２０８内から排気される。これにより、滅菌剤（過酸化水素水溶液）が濃縮される。
図７で説明した通り、ステップＳ７１０で、濃縮炉２０８内の滅菌剤は、計量管２１４内に入る。
この計量管２１４は、図１０に示すように、直管部１００１と枝管部１００２とから構成されている。
直管部１００１は、直線の管状の部分である。直管部１００１の管は、重力方向に配置されている。
また、枝管部１００２は、直管部１００１の中間部又は上部から、枝状に延びた管状の部分である。
直管部１００１は、直管部の軸心と、枝管部１００２の軸心とが垂直になる様に据え付けられる。
【手続補正６】
【補正対象書類名】明細書
【補正対象項目名】０１５２
【補正方法】変更
【補正の内容】
【０１５２】
このような構成にしているため、濃縮炉２０８から入ってきた滅菌剤は、計量管２１４内の直管部１００１に溜まるように構成されている。直管部１００１に滅菌剤が溜まる部分を滅菌剤溜まり部１００３と言う。
【手続補正７】
【補正対象書類名】明細書
【補正対象項目名】０１５５
【補正方法】変更
【補正の内容】
【０１５５】
そして、ステップＳ７１４で弁（Ｖ２）を開けることで、滅菌剤溜まり部１００３に溜まっていた滅菌剤が、気化炉２１６に吸い込まれて、気化する。図１０に示すように、気化炉２１６の上部から液体の滅菌剤が気化炉２１６に入ることで、滅菌剤が気化しやすい。
【手続補正８】
【補正対象書類名】図面
【補正対象項目名】図７
【補正方法】変更
【補正の内容】
【図７】
2014140775.tif 000001